(57)【要約】      （修正有）【課題】災害発生時の防災情報、避難所案内配信や、非災害発生時の地域情報の配信機能をコンパクトに景観よく外観を有し、これら情報を市民への即効性ある情報提供する。【解決手段】情報掲示板１は、ゴム製ポール２を地中より立設し、該ゴム製ポールの上端に情報機器を設け、該情報機器にはＬＥＤ文字盤３、映像モニター４、テレビ音声スピーカ５、ＭＣＡ通信用スピーカ６及びＭＣＡ通信用マイク７、さらには情報受信のためのトルカ機能を内蔵している。【選択図】図１
2008287199.tif 000002
【特許請求の範囲】
【請求項１】
道路上に設置する情報機器において、ゴム製ポールを地中より立設し、該ゴム製ポールの上端に情報機器を設け、該情報機器には文字表示、映像モニター、モニタースピーカーＭＣＡスピーカー及びＭＣＡマイク、さらには情報受信のためのトルカ機能を内蔵したことを特徴とする情報掲示板。
【発明の詳細な説明】
【技術分野】
【０００１】  本発明は、人が多く集まり、災害時などに誘導する人がいない公共の広場や公園等に設置し、災害情報や観光情報、イベント情報、商店街情報や道案内の機能を有する情報掲示板に関する。
【背景技術】
【０００２】  従来、例えば生活道路に配置される街灯を利用し、該街灯を監視制御や情報の送受信基地化を図ることにより防犯や防災化を図るとともに、地域の有用な各種情報の提供を図り得る多機能化街灯ネットワークシステムが提案されている。（特許文献１）
上記のネットワークシステムは、防犯や防災化さらには有益な地域情報を得る事には大きな期待が出来るものであるが、街灯を利用するためその設置場所に制限があり、また街灯の改良や構造変更などが必要となる。
一方、実公平７−４７４４９号公報（特許文献２）には、標示用のポールとして、その被覆部をゴムチップにウレタン系バインダを混合した混合物を所定の型に流し込むことにより中空状に成形することが示されている。この標示用ポールでは、外装部内に配置される金属製本体部は、上端が半球状に形成されていて外装部における高さ方向中間部まで嵌挿されており、こうして本体部の上端部を半球状に形成することにより、外装部が撓んだときに滑らかに変形させるようにしている。（特許文献２）
これらを解決するものとして、金属からなる本体部と、上記本体部が圧入される中空の外装部とを備える標示用ポールにおいて、上記本体部は電着塗装させた標示用ポールが提案されている。（特許文献３）【０００３】
【特許文献１】特開２０００−２５１５０２号公報
【特許文献２】実公平７−４７４４９号公報
【特許文献３】特開２００４−６８４３８号公報
【発明の開示】
【発明が解決しようとする課題】
【０００４】  本発明は、かかる従来のネットワークシステムの問題点を解決すべき開発されたものであり、かつ外観が美麗であり、長期の仕様に耐え得ることから、設置場所の制約を受けないコンパクトな情報掲示板を提供するものであり、多数の人が混在し、不測の事態に誘導者がいない場合にもパッニックを起こすことなく情報を入手し得、状況判断を適切に行えるようになしたものである。
【課題を解決するための手段】
【０００５】  本発明により提供される情報掲示板は、多人数が集まる公共の広場、緑地帯、公園などに設置するものであり、視認性や街並みの景観を考慮し、地上１，２６０ｍｍの高さからなるゴム製ポールと、その上部に取り付けられた情報掲示板からなるものであり、該情報掲示板は正面側に上端側からＬＥＤ文字盤、映像モニター、テレビ音声スピーカー、ＭＣＡ通信用スピーカー、及びＭＣＡ通信用マイクからなるものである。【０００６】  さらにはこの情報掲示板に防災用カメラを装着したものであり、防災などのための監視機能を特徴とするものである。【０００７】  また、この情報掲示板に、リアルタイムで更新される地域の天気情報機能を装着したものであり、数時間後の天候の変化を確認できるようになしたことを特徴とする情報掲示板である。【０００８】  さらにまた、この情報掲示板の映像モニターに、地域の観光案内、商店街案内、地域のイベント案内や道案内機能を装備したことを特徴とする情報掲示板である。更に詳しく説明すると、平常時にはテレビモニターを利用し情報掲示板としてトランジットモールや商店街、学校内、病院、駅、空港、海水浴場や海つり公園、レジャーランド等でそれぞれのシチュエーションやクライアントに合わせた広告を放送局とタイアップして地上デジタル放送によりデジタルコンテンツを配信するサービスを運営するものである。尚、設置や運営に必要な費用はクライアントからの広告宣伝費で召集と運営費用とする。【０００９】  本発明の支柱であるゴム製ポールは、従来使用されているものが、耐候性や使用環境により多くの欠点を有していることに鑑み、比較例として、その材質はナチュラルラバー（天然ゴム）或いはスチレンブタジエンラバーからなり、主にタイヤ製造に使用される天然ゴム／合成ゴムからなるゴム材である。この材質は、老化或いは劣化を抑えるため強力な老化防止剤が添加されているため、塗料の付着を阻害し、塗布後に変色する可能性が大きい。ゴム硬度は７０度品を使用した。【００１０】  これに対し本発明は、  エチレンプロピレンジエンモノマーを使用し、この材質は化学的に安定したゴム材質のため、老化はし難い。さらには老化防止剤を添加しない非汚染性の配合したものである。ゴム硬度は７０度品を使用した。【００１１】  これら両者を比較検討するための実験を、以下の実験条件で行った。
▲１▼サイズ
縦／横１００ｍｍ  Ｘ  厚さ２ｍｍ  のテストピースに塗布した。
▲２▼塗料
材質      …  ウレタン系塗料
塗膜厚さ  …  約３０ミクロン
色        …  全ての塗料色に対応できるが実験には、視認性を確保するため                        銀色を使用した。
▲３▼折り曲げ試験
塗料塗布後のテストピースに１８０度折り曲げ試験を１０回繰り返した。
折り曲げ時に塗料の剥離、ひび割れを判定する。
判定は目視による。
▲４▼伸び試験
車のキー（突起物）を塗料塗布後のテストピースに強く当て、強い圧力での塗          料の伸びを測定した。
折り曲げ時に塗料の剥離、ひび割れを判定する。
判定は目視による。
▲５▼熱老化試験
ギヤーオーブン試験機を使い、温度７０℃で２４時間×５日間、１０日間の加          熱状態での塗料劣化、変色を測定した。
判定は目視による。
▲６▼紫外線試験
サンシャインウエザーメーターを使い、１０日間の紫外線による塗料劣化、変          色を測定した。尚、判定は目視による。【００１２】  これら比較実験の結果、資料の剥離はいずれも認められなかったものの、図３に示す通り本発明は折り曲げ試験・突起物による伸び試験・熱老化試験・紫外線試験など全てで満足のいくものであった。これに反し、比較例では、折り曲げ試験と突起物による伸び試験では満足のいくものであったが、熱老化試験及び紫外線試験では、塗料の艶が全くなくなり、商品とはならないものであった。
【発明を実施するための最良の形態】
【００１３】  以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。【００１４】  本発明の情報掲示板１は、トルカ機能を内蔵しており、実施例においてその外形は図面上の横が４５０ｍｍ、縦が６００ｍｍであり、これを支えるゴム製ポール２は直径が１２５ｍｍ、内径が８０ｍｍ、高さが１２６０ｍｍである。情報掲示板１の表面側にはＬＥＤ文字盤３、映像モニター４、テレビ音声スピーカ５、ＭＣＡ通信用スピーカ６、ＭＣＡ通信用マイク７が設けられており、さらに監視用カメラ８が設けられている。尚、背面にはエアダクト９・９が上下に二箇所設けられている。
ここでトルカ機能（ＴｏｒｕＣａ機能）、１ソース・マルチユース化でデジタルコンテンツを受信したテレビと同じコンテンツをＩＣカードライタに配信することが可能。モニターを見て興味のある情報があればＴｏｒｕＣａ等のリーダ内蔵型携帯電話をライタにかざすだけで瞬時にＵＲＬやクーポンを携帯電話にダウンロードする事が可能。【００１５】  ＬＥＤ文字盤３は、文字情報にて例えば天気予報などの情報を掲示するものである。
現在、普及が著しい携帯電話や普通固定電話は、大規模災害時に不特定多数のユーザーにより通常の数十倍のアクセスが発生し、通信不能になることが予想されている。一方８００ＭＨｚ帯ｍｃＡｃｃｅｓｓｅ無線（ＭＣＡ無線）を利用するものであり、該ＭＣＡ無線は独自のネットワークでシステムを構築しているため混信や輻輳の心配が少なく緊急災害時でも安定した通信が可能である。これらの事は過去に起きた阪神・淡路大震災や新潟中越地震でも実証されている。【００１６】  映像モニター４は、災害発生時の防災情報、避難所案内配信などをおこなうものであり、地上波デジタル放送による迅速な情報受信が可能であり、市町村防災センターとの相互通信も可能である。上記特徴を活用し大規模災害時には、各地防災センター側の制御により平常時のＣＭ放送をＭＣＡ無線で地上デジタル放送の災害緊急特別番組に切り替え（スイッチ機能）、タイムリーな情報を伝える事でパニック行動等による二次災害を防止することが可能である。
ＭＣＡ無線による切替え以外にもウェイクアップ機能に対応した受信機を設置することで、緊急放送信号を受信した時に自動的に起動し地上デジタル放送を受信する事も可能である。
ＭＣＡ無線によりテレビモニターでは更新の難しいローカルコンテンツ、例えば商店街であればイベント情報や店舗の新装オープン案内、バーゲンの案内等、又海つり公園であれば釣果の発表や波浪、満潮干潮、水温等の情報等よりタイムリーに情報提供が可能である。【００１７】  また、非災害発生時においては、地域情報発信を行うものであり、ソプティを内臓し、携帯電話サービス「トルカ」のデータ領域に情報保存が可能である。
さらに地上デジタル放送と同様にＭＣＡ無線で防災センターからの制御により震源地や各地の震度、津波の有無、到達時刻等の災害情報の提供を即座に行う。【００１８】  ゴム製ポール２の材質はＥＰＤＭとして略称されているエチレンプロピレンジエンモノマーからなり、該ＥＰＤＭは化学的に安定したゴム材質のため、老化はし難いものである。さらに老化防止剤を添加しない非汚染性の配合からなるものである。この場合のゴム硬度は５０〜８０度品が好ましい。【００１９】  ゴム製ポール２の表面を被覆するように形成した表面は、塗料材料として販売されているウレタン系塗料を使用し、その塗り厚である塗膜厚さは約２０〜４ミクロン厚で、このましくは３０ミクロン厚となるように塗装したものである。該塗料材料が市販されているものであり、当然のこととして色は全ての塗料色に対応できるものである。【００２０】  また、カメラ８により地域の防災・防犯のための監視機能を付加する事も可能であるばかりでなく、防犯の予防効果も期待できるものである。
【産業上の利用可能性】
【００２１】  本発明は、災害情報コンテンツや地域情報コンテンツをリアルタイム更新することにより極めて有益な情報をタイムリーに入手し得ることとなり、地震、洪水・津波、台風・暴風や火山噴火情報を提供できる事となる。【００２２】  また、地域情報として観光案内、商店街情報、イベント情報、道案内、電子クーポンや電子カードの配信も行なうことができる。さらには自立型に設計されているので場所を選ぶことなくどこにでも設置可能である。
以上に説明したしたとおり、本発明は情報をリアルタイムにコンテンツサーバに格納することにより、市民への即効性のある情報提供が可能となる。
【図面の簡単な説明】
【００２３】
【図１】  本発明の情報掲示板の正面図である。
【図２】  本発明の側面図である。
【図３】  本発明の背面図である。
【符号の説明】
【００２４】１  情報掲示板
２  ゴム製ポール
３  ＬＥＤ文字盤
４  映像モニター
５  テレビ音声スピーカ
６  ＭＣＡ通信用スピーカ
７  ＭＣＡ通信用マイク
８  カメラ
９  エアダクト
【図１】
2008287199.tif 000003
【図２】
2008287199.tif 000004
【図３】
2008287199.tif 000005